(57)【要約】  本発明では建物の壁に設置される戸や窓の建具枠が提供される。前記建具枠には押出成形枠部材が含まれ、前記枠部材の一方の面は、その長さ方向に沿ってレール挿入溝とともに形成され、前記建具枠には前記レール挿入溝に接合するように構成されるレール構造がさらに含まれる。前記レール挿入溝は係合溝をなして形成されると同時に前記レール構造は係合突出部をなして形成され、前記レール構造は前記係合突出部と前記係合溝間の係合によって前記枠部材と容易に接合、分離される。前記レール構造は着脱可能なので、比較的重い戸を簡便に取り付けることができるとともに、前記建具枠を容易に掃除することができる、さらに、破損したレール構造のみを交換することができる。【選択図】        図３
2010523840.tif 000002
【特許請求の範囲】
【請求項１】
戸枠の上縁部に向かい合う対向面を有するとともに、その長さ方向に沿って押出成形される上枠部材と、前記戸枠の下縁部に向かい合う対向面を有するとともに、その長さ方向に沿って押出成形される下枠部材と、からなる建具枠において、前記上枠部材と下枠部材の対向面がレール挿入溝をなして形成されるとともに、挿入部を有する前記レール挿入溝に対応するレール構造をさらに含み、前記レール構造の挿入部は前記レール挿入溝に挿入・係合するように構成されることから、前記レール構造が前記枠部材と接合、分離され、前記上枠部材の対向面と前記下枠部材の対向面の間の距離は、前記戸枠の上縁部と下縁部の間の高さの差に等しいかまたはそれを超えるので、前記戸枠が地面に対して傾斜状態ではなく地面に対して直立状態で前記上枠部材の対向面と前記下枠部材の対向面の間に押し入れられるように、前記戸枠をそれら対向面の間に取り付けられるようになっており、前記戸枠とその下縁部に位置するローラーが、前記下枠部材に沿って移動可能なようにその上に配置された前記レール構造の上面に載置され、さらに、前記レール構造が前記枠部材の全長よりも短い複数のレール構造からなることを特徴とする建具枠。
【請求項２】
前記レール構造の挿入部はレール部の幅よりも狭い幅で形成され、前記戸枠の両側面は前記挿入部に向かって屈曲する案内部をなして形成され、さらに、前記案内部が前記戸枠の離脱を防止すると同時に防音性と断熱性を向上させることを特徴とする請求項１記載の建具枠。
【請求項３】
前記レール構造の挿入部が、その長さ方向に沿って弾性溝部とともに形成され、さらに、前記挿入部の両側面は前記弾性溝部分だけ前記弾性溝部に向かって弾性的に変形可能なので、前記挿入部が前記レール挿入溝に挿入・係合されることを特徴とする請求項１または２記載の建具枠。
【請求項４】
前記レール構造の上面がレール突出部をなして形成され、さらに、前記戸枠のローラーが前記レール突出部に対応する形状であるとともに、その上に摺動可能に設けられることを特徴とする請求項１または２記載の建具枠。
【請求項５】
前記レール構造の上面が凹溝をなして形成され、さらに、前記戸枠のローラーが前記凹溝に対応する形状であるとともに、その上に摺動可能に設けられることを特徴とする請求項１または２記載の建具枠。
【請求項６】
前記枠部材のレール挿入溝が２列に配設され、さらに、前記レール構造を前記２列に配設したレール挿入溝に接合することによって、前記建具枠が単窓の建具枠用に構成されることを特徴とする請求項１または２記載の建具枠。
【請求項７】
前記枠部材のレール挿入溝が４列に配設され、さらに、前記レール構造を前記４列に配設したレール挿入溝に接合することによって、前記建具枠が連窓の建具枠用に構成されることを特徴とする請求項１または２記載の建具枠。
【請求項８】
前記レール挿入溝の両外側面は、その長さ方向に沿って係合溝とともに形成され、前記レール構造の挿入部の両外側面は、その長さ方向に沿って係合突出部とともに形成され、さらに、前記レール構造の強固な係合が前記レール構造の係合突出部と前記レール挿入溝の係合溝間の相互係合力によって達成されることを特徴とする請求項１または２記載の建具枠。
【発明の詳細な説明】
【技術分野】
【０００１】
本発明は、一般には建物の壁に設置される戸や窓の建具枠に関し、特には、その長さ方向に沿って形成される挿入溝を有する枠部材を含む建具枠において、レール構造が前記挿入溝に着脱可能であることを特徴とする建具枠に関する。
【背景技術】
【０００２】
さまざまな建具が一般に採光、換気、入口／出口及び間仕切りを提供することを目的として、アパート、一戸建て住宅、オフィスビル、学校、公共建物などに設置されている。
【０００３】
かかる建具には、窓として使用される小さいサイズのものから、壁の全体にわたって設置される大きいサイズのものまで多種多様のサイズがある。例えば、１列のレール部を有する建具枠を用いて１枚または２枚の戸が取り付けられている建具があり、また、４列のレール部を有する建具枠を用いて３枚または４枚の戸が取り付けられていることを特徴とする摺動建具もある。
【０００４】
戸がその上に載置されて摺動するように構成される建具枠には多種多様な材料が用いられており、過去には木製の建具枠が使用されたが、最近では耐久性のために、金属材料や合成樹脂材料を押出成形した建具枠が主に使用されている。
【０００５】
周知のように、かかる建具枠には戸の円滑な開閉動作を実現するためのレール部が含まれており、最近広く使用されている金属材料または合成樹脂材料からなる建具枠のレール部は、建具枠の押出成形時に建具枠と一体的に形成されている。つまり、建具枠を形成する押出成形金型が、前記レール部を建具枠とともに形成するように構成されているので、金属材料または合成樹脂材料からなる建具枠は、それから突出する１列または２列のレール部をなして形成され、かかるレール部は戸の円滑な摺動を可能にする。
【０００６】
かかる従来技術の建具枠と戸を図１に示す。図１を参照すると、その上に突出する複数のレール部１１ａ，１１ａ´を有する矩形枠状の建具枠１１の内側には、前記レール部１１ａ，１１ａ´に連結した戸４０，４０´があり、前記レール部１１ａ，１１ａ´に沿って転動するローラー４１が前記戸４０，４０´の枠の下側に設置されている。前記ローラー４１は前記戸４０，４０´の開閉時に前記レール部１１ａ，１１ａ´に沿って転動するので、前記戸４０，４０´を容易に開閉することができる。さらに、前記建具枠１１と、前記戸４０，４０´の枠の下縁の側面とは、垂直遮蔽部をなして形成される。これは、前記建具によって分離された屋内の空気と屋外の空気とが互いに連通することを抑制すると同時に断熱性と防音性を向上させるためである。
【０００７】
かかる建具の組立時には、図２に示したように、先ず矩形状の建具枠１１が取り付けられ、次いで、前記戸４０の上縁が前記建具枠１１の上側に嵌合され、さらに、前記戸４０の下縁が前記建具枠の下側に載置され、それによって前記建具は完成する。かかる取り付け方法のために、前記戸の上縁に形成されるレール溝が前記戸の下縁に形成されるレール溝よりも深く形成されている。
【０００８】
上記の建具は、前記戸が持ち上げられ、先ず前記戸の上縁が前記建具枠の上側に挿入され、次いで前記戸の下縁が前記建具枠の下側に載置されるように構成され、上方に持ち上げられた前記戸が前記建具枠の下側に載置されるときに、前記戸の上縁と前記建具枠の上側間に実質的な空間が形成される。これは、外部の空気を当該実質的な空間を介して自由に流入させてしまうという問題を引き起こす。その結果、前記外部の空気が前記戸の上縁と前記建具枠の上側間の隙間を介して自由に流れてしまうことから、防音性と断熱性は大幅に低下してしまう。
【０００９】
前述の問題点を解決をするため、最近の建具は、細毛ブラシが前記戸の側縁または前記建具枠の側面に、その長さ方向に沿って挿入されるように構成されており、前記細毛ブラシは防音性と断熱性を向上させることもできるが、かかる改善では十分に満足できる成果を得られないばかりか、材料コストと設置コストが倍増してしまう。加えて、前記ブラシと前記戸間の摩擦または前記ブラシと前記建具枠間の摩擦のために、前記戸の開閉時に前記戸の円滑な摺動は達成されない。
【００１０】
さらに、従来の建具が取り付けられる際には、先ず戸の上縁が建具枠の上側に嵌合され、次いで戸の下縁が建具枠の下側に載置されることから、大型サイズの建具の組立時には少なくとも２人以上の作業者が重い戸を持ち上げて取り付けなければならないので、取り付け作業は非常に困難になる。
【００１１】
また、上記の方式で取り付けられた前記建具では、その内部が時間の経過とともにさまざまな異物によって徐々に汚染されてしまい、前記レール部と前記遮蔽部を有する上記の建具枠では、前記レール部相互間の隙間が非常に狭いために掃除が容易でなくなり、そのために前記建具枠は塵埃、油などの異物によって汚染された状態が続くので、前記建具枠の外観は損なわれ、衛生面でも非常に不潔であるが、好適な掃除用具や掃除方法がないので、かかる建具枠は多くの場合そのままの状態に放置される。
【００１２】
また、従来の建具は建具枠と戸で構成され、戸の摺動を案内するレールは前記建具枠上に、それに対して固定されるように事前に突起状に形成されるので、前記戸の嵌合時に実質的な間隙が前記建具枠と前記戸の上縁及び下縁との間に不可避的に形成されてしまう。かかる間隙は強風、雷、地震などの場合に前記建具を脆弱化させ、強風、雷、地震などで発生する振動や圧力が前記建具に加わると、前記戸は前記建具枠から分離して地面に落下してしまうという問題がある。このような事情から、安全事故が発生する可能性がある。
【００１３】
特に、上記の建具は風によって揺動したり音をたてて揺れるので、ユーザに不安感を抱かせ、さらに、濾過されずに当該間隙を介して室内に流れ込む屋外の空気は細塵などの異物を含むことがあるので、呼吸疾患を引き起こす可能性もある。
【発明の概要】
【発明が解決しようとする課題】
【００１４】
本発明は前述の問題点を解決することを課題とし、本発明の目的は、戸を簡便に取り付けることができるとともに、戸枠とその建具枠とが緊密に嵌合するように構成された建具枠を提供することにある。さらに、本発明は簡便に掃除できる建具枠の提供も図る。
【課題を解決するための手段】
【００１５】
本発明の建具枠は、戸枠の上縁部に向かい合う対向面を有するとともに、その長さ方向に沿って押出成形される上枠部材と、前記戸枠の下縁部に向かい合う対向面を有するとともに、その長さ方向に沿って押出成形される下枠部材と、からなり、前記上枠部材の対向面と下枠部材の対向面とはレール挿入溝をなして形成され、前記建具枠は挿入部を有する前記レール挿入溝に対応するレール構造をさらに含む。また、前記レール構造の挿入部は前記レール挿入溝に挿入・係合するように構成され、そこで、前記レール構造が前記枠部材に接合・分離可能であることを特徴とし、前記上枠部材の対向面と前記下枠部材の対向面間の距離は、前記戸枠の上縁部と下縁部間の高さの差に等しいかまたはそれを超える。これは、前記戸枠が地面に対して傾斜状態ではなく地面に対して直立状態で前記上枠部材の対向面と前記下枠部材の対向面との間に押し入れられるように、前記戸枠をそれらの対向面の間に取り付けるためである。前記戸枠及びその下縁部に位置するローラーは、前記下枠部材に沿って移動可能なようにその上に配置された前記レール構造の上面に載置され、前記レール構造は前記枠部材の全長よりも短い複数のレール構造からなる。
【００１６】
前記レール構造の挿入部はレール部の幅よりも狭い幅で形成することもできるとともに、
前記戸枠の両側面は前記挿入部に向かって屈曲する案内部をなして形成することもでき、前記案内部は前記戸枠の離脱を防止すると同時に防音性と断熱性を向上させる。
【００１７】
前記レール構造の挿入部は、その長さ方向に沿って弾性溝部とともに形成することもでき、かつ、前記挿入部の両側面が前記弾性溝部分だけ前記弾性溝部に向かって弾性的に変形することもできるので、前記挿入部を前記レール挿入溝に挿入・係合することもできる。
【００１８】
前記レール構造の上面はレール突出部をなして形成することもでき、さらに、前記戸枠のローラーは前記レール突出部に対応する形状であってもよく、その上に摺動可能に設けられてもよい。
【００１９】
前記レール構造の上面は凹溝をなして形成することもできるとともに、前記戸枠のローラーは前記凹溝に対応する形状であってもよく、その上に摺動可能に設けられてもよい。
【００２０】
前記枠部材のレール挿入溝は２列に配設することもでき、かかる場合、前記レール構造を前記２列に配設したレール挿入溝に接合することによって、前記建具枠を単窓の建具枠として使用するように構成することもできる。
【００２１】
前記枠部材のレール挿入溝は４列に配設することもでき、かかる場合では、前記レール構造を前記４列に配設したレール挿入溝に接合することによって、前記建具枠を連窓の建具枠として使用するように構成することもできる。
【００２２】
前記レール挿入溝の両外側面は、その長さ方向に沿って係合溝とともに形成することもでき、さらに、前記レール構造の挿入部の両外側面は、その長さ方向に沿って係合突出部とともに形成することもでき、前記レール構造の強固な係合は、前記レール構造の係合突出部と前記レール挿入溝の係合溝間の相互係合力によって達成される。
【発明の効果】
【００２３】
本発明の建具枠は、レール部が着脱可能なように構成されるので、比較的重い戸をより簡便に取り付けることができ、さらに、レール部が予期しない衝撃や事故のために破損した際には、かかるレール部のみを交換することもできる。また、不必要な間隙が存在せず、戸と建具枠間の隙間が非常に小さいことから、優れた防音性と断熱性を提供する。また、他のいかなる抵抗要素も前記戸の開閉動作を妨げないことから、前記戸をより円滑かつソフトに開閉できる。その上、前記戸は、前記レール部と、表面に露出する前記建具枠と、のみを取り外すことによって簡便に分離できるので、掃除を簡便に行えることから、外観及び衛生面での清潔さを維持するという観点で効率的である。
【図面の簡単な説明】
【００２４】
【図１】従来技術の建具の部分斜視図
【図２】従来技術の建具での戸の取り付け工程
【図３】本発明に係る建具枠の部分断面斜視図
【図４】下枠部材とレール構造の部分拡大斜視図
【図５】前記建具枠と前記レール構造の接合を示す断面図
【図６】上枠部材と前記レール構造の部分拡大斜視図
【図７】本発明の建具枠と前記戸の接合を示す断面図
【図８】前記レール構造が前記枠部材の一方側に接合されている状態を示す部分斜視図
【図９】前記戸が一方側に位置する前記レール構造によって取り付けられている状態を示す部分斜視図
【図１０】他のレール構造が接合されている状態を示す部分斜視図
【図１１】前記建具枠と前記戸が取り付けられている状態を示すとともに、レール突出部が設けられている前記レール構造をさらに示す断面図
【図１２】前記建具枠と前記戸が取り付けられている状態を示すとともに、凹溝が設けられている前記レール構造をさらに示す断面図
【発明を実施するための形態】
【００２５】
以下に本発明の建具枠を添付図面を参照して説明する。
【００２６】
図３は本発明に係る建具枠の部分断面斜視図であり、図４は下枠部材とレール構造の部分拡大斜視図であり、図５は前記建具枠と前記レール構造の接合を示す断面図であり、図６は上枠部材と前記レール構造の部分拡大斜視図であり、図７は前記建具枠と前記戸の接合を示す断面図である。
【００２７】
本発明の建具枠は、その長さ方向に沿って押出成形され、戸枠１４０の上縁部に向かい合う対向面１２０ａを有する上枠部材１２０と、その長さ方向に沿って押出成形され、戸枠１４０の下縁部に向かい合う対向面１１０ａを有する下枠部材１１０と、からなり、前記上枠部材と下枠部材１２０，１１０の対向面１２０ａ，１１０ａは、その長さ方向に沿ってレール挿入溝１２１，１１１とともにそれぞれ形成され、前記建具枠は複数のレール構造１３０をさらに含み、そのそれぞれは前記レール挿入溝１１１，１２１に対応する挿入部１３２を有し、前記レール構造１３０は、前記レール構造１３０の挿入部１３２が前記枠部材１１０，１２０のレール挿入溝１１１，１２１に挿入・係合されるように前記枠部材１１０，１２０に接合・分離し、前記上枠部材１２０の対向面１２０ａと前記下枠部材１１０の対向面１１０ａ間の距離は、前記戸枠１４０の上縁部と下縁部間の高さの差に等しいかまたはそれを超える。これは、前記戸枠１４０が地面に対して傾斜状態ではなく地面に対して直立状態で前記上枠部材１２０の対向面１２０ａと前記下枠部材１１０の対向面１１０ａ間に押し入れられるように、前記戸枠１４０をそれら対向面の間に取り付けるためである。前記戸枠１４０及びその下縁部に位置するローラー１４１は前記下枠部材１１０に配置され、それに沿って摺動する前記レール構造１３０の上面に載置され、前記レール構造１３０は前記枠部材１１０，１２０の全長よりも短い複数のレール構造１３０からなる。
【００２８】
前記レール挿入溝１１１，１２１の両外側面の内側は、その長さ方向に沿って係合溝１１２，１２２とともに形成されると同時に、前記レール構造１３０の挿入部１３２の両外側面は、その長さ方向に沿って係合突出部１３３とともに形成される。前記レール構造１３０の強固な係合は前記レール構造１３０の係合突出部１３３と前記レール挿入溝１１１，１２１の係合溝１１２，１２２間の相互係合力によって達成される。
【００２９】
前記レール構造１３０の挿入部１３２の幅は前記レール構造１３０のレール部１３１の幅よりも狭くなるように形成され、前記戸枠１４０の下縁の両側面は、前記挿入部１３２に向かって屈曲する案内部１４２をなして形成され、前記戸枠１４０の案内部１４２は前記戸枠１４０の離脱を防止すると同時に防音性と断熱性を向上させる。
【００３０】
前記レール構造１３０の挿入部１３２は、その長さ方向に沿って弾性溝部１３４とともに形成され、前記挿入部１３２の両側面が前記弾性溝部１３４分だけ前記弾性溝部１３４に向かって弾性的に変形可能なので、前記挿入部１３２は前記レール挿入溝１１１，１２１に対してより弾性的に挿入・係合される。
【００３１】
さらに、前記レール構造１３０の上面は上方に突起するレール突出部１３５をなして形成され、それに対応する形状のローラー１４１がその上に摺動可能に設けられるか、あるいは、前記レール構造１３０の上面は凹溝１３６をなして形成され、それに対応する形状のローラー１４１がその上に摺動可能に設けられるので、前記戸の開閉時の直進性を向上できる（図１１，１２参照）。
【００３２】
また、本発明の建具枠は、前記枠部材１１０，１２０のレール挿入溝１１１，１２１を２列に配設するとともに、前記対応するレール構造１３０を前記２列に配設したレール挿入溝１１１，１２１にそれぞれ接合することによって、単窓の建具枠として使用することもできる。さらに、本発明の建具枠は、前記枠部材１１０，１２０のレール挿入溝１１１，１２１を４列に配設するとともに、前記対応するレール構造１３０を前記４列に配設したレール挿入溝１１１，１２１にそれぞれ接合することによって、連窓の建具枠として使用することもできる。
【００３３】
以下に上記のように構成されている本発明の着脱可能なレール付き建具枠を図３〜図７を参照して詳細に説明する。
【００３４】
図示したように、本発明の建具枠は前記押出成形枠部材１１０，１２０と、前記別個に形成されたレール構造１３０と、からなり、前記上枠部材１２０の下面（対向面）１２０ａと前記下枠部材１１０の上面（対向面）１１０ａとは、それぞれ単窓であるかまたは連窓であるかに応じて２列または４列に配設したレール挿入溝１１１，１２１をなして形成され、各レール挿入溝１１１，１２１の両側面は前記係合溝１１２，１２２とともに、その長さ方向に形成される。
【００３５】
前記レール構造１３０は前記レール部１３１の幅よりも狭い幅を有し、かつ前記レール部１３１から延びる前記挿入部１３２をなして形成され、前記挿入部１３２の両外側面の外側は、その長さ方向に沿って前記係合突出部１３３とともに形成され、前記挿入部１３２は前記枠部材１１０，１２０のレール挿入溝１１１，１２１に密挿されるように構成され、前記係合突出部１３３は前記レール挿入溝１１１，１２１の係合溝１１２，１２２に係合される。
【００３６】
上記のように、前記レール構造は前記枠部材１１０，１２０に着脱可能に構成され、戸は、前記レール構造１３０が前記枠部材１１０，１２０のレール挿入溝１１１，１２１に接合される際に、前記建具枠に取り付けられる。
【００３７】
前記戸枠１４０（すなわち前記戸の枠）の上縁部と下縁部は、その長さ方向に沿って前記レール構造１３０がそれぞれ挿入される前記レール溝１４３とともに形成され、前記戸枠１４０の下側には、前記レール構造１３０に沿って転動するように構成された前記ローラー１４１が設けられ、さらに、前記戸枠１４０の下縁は内向きに屈曲する前記案内部１４２をなして形成され、前記案内部１４２は、前記レール部の幅よりも狭い挿入部１３２のために、前記レール部１３１と前記下枠部材の上面（対向面）１１０ａ間の前記挿入部１３２の側面に形成される凹部内に位置することが可能なので、前記戸枠１４０の案内部１４２と、前記レール構造１３０の形状と、それらの組み合わせと、は優れた防音性と断熱性を提供する。加えて、前記案内部１４２と前記レール構造１３０とは屋内の空気と屋外の空気の自由な流れを阻止する屈曲通路をなすので、従来技術の細毛ブラシを追加取り付けする必要がない。さらに、かかる案内部を前記戸枠１４０の上縁に設けることもできる。
【００３８】
従来技術の建具は２個の部品、すなわち建具枠と戸とからなるが、本発明に係る建具は３個の部品、すなわち建具枠と、レール構造と、戸と、からなり、それらの３個の部品が組み付けられると、前記建具枠、前記レール構造及び前記戸は互いに緊密に係合して単一体を形成し、前記建具枠、前記レール構造及び前記戸枠が上記の組み付け・取り付け構造により１部材をなすので、前記建具枠と前記戸枠の上縁及び下縁との間には間隙がほとんど存在しない。よって、強風、雷、地震などによって発生する衝撃や圧力のために戸や窓が前記建具枠から分離して地面に落下するような危険性がない。
【００３９】
特に、前記レール構造１３０の挿入部１３２は、前記挿入部１３２に弾性を提供する前記弾性溝部１３４をなして形成され、前記弾性溝部１３４は前記レール構造１３０の長さ方向に沿って連続的に形成されるので、前記挿入部１３２は、前記弾性溝部１３４の内向きに弾性的に変形することが可能である。その結果、前記挿入部１３２を弾性的に挿入することができ、かくして前記レール挿入溝１１１，１２１に係合されるようになる。
【００４０】
以下に上記の枠部材１１０及び１２０とレール構造１３０とを用いた前記戸枠１４０の取り付け工程を図８〜図１０を参照して説明する。
【００４１】
図８に示したように、先ず、建具を組み立てなければならない場所に前記建具枠が取り付けられ、次いで、前記レール構造は前記枠部材１１０，１２０に接合される。かかる場合、前記枠部材１１０，１２０の全長の半分よりも短いレール構造１３０´は、一方側に偏位するように前記レール挿入溝１１１，１２１に挿入・係合される。
【００４２】
かかる状態で、前記戸枠１４０は、前記レール構造が挿入されていない前記枠部材１１０及び１２０の部分を介して前記建具枠に押し入れられ、続いて、前記戸枠１４０は当該一方側に位置する前記レール構造１３０´に向かって摺動され、次いで、図９に示したように、前記戸枠１４０の上縁及び下縁が前記枠部材１１０及び１２０のレール構造１３０´にそれぞれ連結されると、前記戸枠１４０は前記レール構造１３０´の支持力によって前記枠部材１１０及び１２０に取り付けられる。
【００４３】
その後、図１０に示したように、一方側の前記戸枠１４０が取り付けられると、前記レール挿入溝１１１，１２１の露出長に対応する長さを有するレール構造１３０”は前記レール挿入溝１１１，１２１に接合され、それによって前記枠部材１１０，１２０の全長に対応するレール部を形成する。つまり、図１０に示したように、前記枠部材１１０，１２０の全長の半分よりも長い前記レール構造１３０”は前記レール挿入溝１１１及び１２１に接合される。
【００４４】
前記枠部材１１０，１２０の半分の長さよりも短い前記レール構造１３０´が最初に接合されると、前記レール構造１３０´が挿入されない前記レール挿入溝１１１及び１２１の部分の長さは前記枠部材１１０及び１２０の半分の長さよりも長くなるので、前記枠部材の半分の長さに対応する前記戸枠１４０を挿入し、かつ、それを前記先に接合したレール構造１３０´に連結させることが可能である。
【００４５】
また、前記レール構造１３０”が接合されない他の部分に対応する長さを有する前記レール構造１３０”は前記レール挿入溝１１１及び１２１に嵌合される。かかる場合、前記レール構造１３０”の全長は前記戸枠１４０の長さよりも長くなるが、前記レール構造１３０”は、その一端を前記レール挿入溝１１１，１２１に押し込むことによって、前記戸枠１４０の下縁でその一部が露出されている前記レール挿入溝１１１，１２１と接合させることができる。
【００４６】
前記戸枠１４０が上記のように取り付けられる場合、前記戸枠１４０と、前記枠部材１１０及び１２０と、前記レール構造１３０´及び１３０”と、の間の間隙は上側ならび下側において極めて最小化されるので、優れた防音性と断熱性が得られる。さらに、レール部が破損した場合、破損したレール構造１３０´，１３０”のみを交換するために取り外すことができる。
【００４７】
従来技術の建具枠の掃除は、そのレー部相互間の間隙が非常に狭いため困難であるが、本発明の建具枠では、前記レール構造１３０´，１３０”を前記建具枠から取り外して再接合することができる。つまり、前記枠部材１１０及び１２０を掃除する必要があるときには、前記レール構造１３０´，１３０”を取り外すことにより、前記枠部材１１０の下面または前記枠部材１２０の上面を表面に露出させることができるので、より簡便な掃除を行うことができ、衛生と外部の清潔さを維持できる。
【００４８】
さらに、本発明の建具枠は、前記レール構造の上面を前記突出部または前記溝をなして形成するとともに、それに対応する前記ローラー１４１´，１４１”を用いることによって、より優れた直進性を前記戸に提供することができる。図１１に示したように、前記レール構造１３０の上面のレール部１３１は、それから突出する前記レール突出部１３５とともに、その長さ方向に形成され、かつ、前記戸枠１４０に入れられる前記ローラー１４１´は、それに対応するように溝形状をなし、それによって、前記戸の開閉時に、より安定した直進性を提供する。さらに、図１２に示したように、前記レール構造１３０のレール部１３１の上面は、前記凹溝１３６とともに、その長さ方向に形成され、かつ、それに対応するような形状をなす前記ローラー１４１”が使用され、それによって、前記戸の開閉時に、より安定した直進性を提供する。
【００４９】
さらに、前記レール挿入溝１１１及び１２１を前記枠部材１１０及び１２０上に形成することに関しては、２列に配設したレール挿入溝１１１，１２１を形成すると、本発明の建具枠を単窓に使用することもでき、また、４列に配設したレール挿入溝１１１，１２１を形成すると、本発明の建具枠を連窓に使用することもできる。このような事情から、本発明の建具枠は前記レール挿入溝１１１，１２１の数に応じてさまざまな方式で具体化することもできる。
【００５０】
また、本発明の建具枠では、虫除けネットを装着する補助レールを前記枠部材１１０，１２０の上縁に接合することもでき、また、さまざまな装飾パネルを接合することもできる。
【００５１】
上記の実施形態と添付図面は本発明の範囲を限定するものと解釈されるべきでなく、本発明の範囲から逸脱するものと解釈されるべきでもない。
【産業上の利用可能性】
【００５２】
本発明はレール部が着脱可能であるように構成される建具枠を提供する。
【図１】
2010523840.tif 000003
【図２】
2010523840.tif 000004
【図３】
2010523840.tif 000005
【図４】
2010523840.tif 000006
【図５】
2010523840.tif 000007
【図６】
2010523840.tif 000008
【図７】
2010523840.tif 000009
【図８】
2010523840.tif 000010
【図９】
2010523840.tif 000011
【図１０】
2010523840.tif 000012
【図１１】
2010523840.tif 000013
【図１２】
2010523840.tif 000014
【国際調査報告】
2010523840.tif 000015
2010523840.tif 000016